(57)【要約】【課題】パワー配置を適切に設定することによりフォーカスレンズ群を軽量化し、像高変化率の小さいインナーフォーカスに最適な、画角が１２０度を超える広画角なズームレンズを提供する。【解決手段】物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成し、物体側無限遠から近距離物体へフォーカシングする際、第２レンズ群Ｇ２が像面方向へ移動し、所定の条件を満足させる。【選択図】図１
2015203734.tif 000002
【特許請求の範囲】
【請求項１】
物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成され、物体側無限遠から近距離物体へフォーカシングする際、前記第２レンズ群Ｇ２が像面方向へ移動し、以下の条件を満足することを特徴とする超広角ズームレンズ。
（１）５．０＜ｆ２／ｆｗ＜４０．０
（２）０．４＜１／（ＭＲＴ＾２×（Ｍ２Ｔ＾２−１））
ただし、
ｆｗ：ワイド端無限遠時の焦点距離
ｆ２：第２レンズ群の焦点距離
Ｍ２Ｔ：物体距離無限遠時の望遠端の第２レンズ群の倍率負担
ＭＲＴ：物体距離無限遠時の望遠端の第３レンズ群から第５レンズ群までの合成倍率負担
【請求項２】
前記第２レンズ群Ｇ２の物体側の面を基準とし、広角端の前記第２レンズ群Ｇ２から絞りの前までの面の合成光学系による絞りの像位置をＦｃＥｎｔｐとした時、以下の条件を満足することを特徴とする請求項１に記載の超広角ズームレンズ。
（３）０．１＜ＦｃＥｎｔｐ／ｆ２＜０．７
（４）２．５＜ＦｃＥｎｔｐ／ｆｗ
【請求項３】
変倍時において前記第１レンズ群Ｇ１が像面に対し固定であることを特徴とする請求項１乃至請求項２に記載の超広角ズームレンズ。
【発明の詳細な説明】
【技術分野】
【０００１】
本発明は、スチルカメラ、ビデオカメラ等の撮像装置に用いる撮影レンズに好適な光学系に関し、オートフォーカスカメラに適したインナーフォーカス方式を採用し、またフォーカスレンズ群を光軸に沿う方向への微少な振動（ウオブリング）させた際の像高変化率が小さく、広角端での撮影画角が１２０度以上と広画角なズームレンズに関するものである。
【背景技術】
【０００２】
ズームレンズのフォーカス方式は、物体側の第１群をそのまま繰出すフロントフォーカス方式が一般的である。しかしＡＦ化の要請から、第１群以外の比較的軽量なレンズ群でフォーカスを行うインナーフォーカス方式が望まれていた。このインナーフォーカス方式については近年数多く提案されているが、有限距離におけるズーミング時のピントずれを防ぐために補正カムを必要とし、機構が複雑になる問題を抱えていた。第１群以外のレンズ群でフォーカスを行うインナーフォーカス方式を採用した技術として特許文献１、２、３、４が開示されている。
【先行技術文献】
【特許文献】
【０００３】
【特許文献１】特開平４−１５６１２号公報
【特許文献２】特開平６−２３０２８１号公報
【特許文献３】特開２００１−１８８１７１号公報（特許第４５１９２３２号）
【特許文献４】特開２０１３−１５６２１号公報
【発明の概要】
【発明が解決しようとする課題】
【０００４】
負の屈折力のレンズ群が先行するズームタイプは、広角ズームや超広角ズームに適したタイプである。しかし、第１レンズ群でフォーカスすることが多く、フォーカス群が重いためＡＦに支障をきたしていた。
【０００５】
また、第１レンズ群の内部をフォーカスさせることにより、若干量の重量軽減を図っているものも見受けられるが、十分な軽量化はなされていない。このため、アクチュエータの縮小化や応答性・リアルタイム性の問題等を改善させるため、さらなるフォーカス群の重量軽減が必要とされていた。
【０００６】
また、近年台頭してきたミラーレス一眼カメラのオートフォーカスのように、フォーカスレンズ群を光軸に沿う方向へ微少な振動（ウオブリング）をさせ続けることで、常にフォーカス駆動方向を判断し続ける形式のインナーフォーカス方式が開発されてきた。その際、ウオブリング時の像高変化率が大きいと、鑑賞者が画面に映る被写体の倍率変動を認識し、目障りに感じてしまう。そのためフォーカス変化に対して像高変化率が小さいフォーカス形式が望まれていた。
【０００７】
ここで、所定の物体高を与えて、その物体に対応する合焦状態での像高をｙ、撮影距離と物体高とを変えずにフォーカスレンズ群を移動させて、ガウス像面が合焦状態の位置から光軸方向への移動をΔｓとするとΔｓ＝±０．０８ｍｍだけ移動した場合の像高をｙ′とする。Δｓ＝±０．０８ｍｍは、最小錯乱円の直径を０．０１ｍｍ、Ｆ値をＦ８とした場合の片側焦点深度に相当する。ここでは、次式で定義されるηを像高変化率と呼ぶことにする。
η＝（ｙ′−ｙ）／ｙ      参考式（１）
【０００８】
また、像高変化率ηの目標値に関しては、特開２００９−１２２６２０に以下の記述があり、本件発明はこの記述を参考に像高変化率ηの目標設定を行った。上記ガウス像面の移動量をΔｓとした時、段落［００６０］、［００６２］にて
「ここで、次のようにＥを定義する。
Ｅ＝η／Δｓ
種々の実験を行い、一般的な条件下で像高変化が目立たない条件は
｜Ｅ｜＜１／８
であり、最も厳しい条件下で像高変化が目立たない条件は、
｜Ｅ｜＜１／８０
であることがわかった。」
と開示しており、この記述からすると、Δｓ＝０．０８とした時の像高変化率ηの許容は、
｜η｜＝Ｅ×Δｓ
より、最も厳しい条件下で像高変化が目立たない条件は、
｜η｜＜０．００１（０．１％）
となり、本件発明はこの記述を参考に像高変化率ηの目標設定を行った。
【０００９】
特許文献１で開示されているズームレンズは、負の屈折力の第１群と正の屈折力の第２群より成り、双方のレンズ群を移動させて変倍を行う２群ズームレンズにおいて第１群を負の屈折力の２つのレンズ群に分け、このうち像面側の小型軽量の負の屈折力の第１２群を光軸上移動させてフォーカスを行うことにより、合焦操作の高速化を容易にした、広角端の撮影面角が約１１３度と広画角なズームレンズを達成するとされるが、フォーカス群は複数のレンズで構成される、全体として負の屈折力を持つレンズ群であるため、フォーカスレンズ群の重量軽減が十分ではない。
【００１０】
また、特許文献１の実施例１の広角端では、先に示した像高変化率ηの値は、最大像高２１．６３で０．５１％と大きく、さらに広角端の撮影画角が１１３度程しかない。
【００１１】
また、特許文献２で開示されているズームレンズは、物体側より順に負の屈折力の第１群、負の屈折力の第２群、そして正の屈折力の第３群の３つのレンズ群を有し、フォーカス群は小型軽量の第２群で行うことで、オートフォーカスを容易にしているが、この技術も特許文献１と同様にフォーカス群は複数のレンズで構成される全体として負の屈折力を持つレンズ群であるため、フォーカスレンズ群の重量軽減が十分ではない。
【００１２】
また、特許文献２の実施例１では、広角端での像高変化率ηは、最大像高２１．６３で０．２０％と大きく、さらに広角端の撮影画角が９３度程しかない。
【００１３】
さらに、特許文献３で開示されているズームレンズは、物体側から順に負負正正の４群で構成し、物体距離無限遠から近距離物体へフォーカシングする際、第３レンズ群Ｌ３が像面方向へ移動し、第３群のパワー、および第３、４群の倍率を適切に設定することで、インナーフォーカスに最適な広画角なズームレンズを得ることができるが、広角端の撮影画角が７８度程しかなく、撮影画角が十分ではない。
【００１４】
また、特許文献４で開示されているレンズは、物体側より順に、負の屈折力の第１レンズ群Ｇ１、正の屈折力の第２レンズ群Ｇ２からなり、第１レンズ群Ｇ１は、負の屈折力の第１Ａレンズ群Ｇ１Ａ、負の屈折力の第１Ｂレンズ群Ｇ１Ｂで構成され、フォーカシングの際、第１Ｂレンズ群Ｇ１Ｂを物体側に移動させ、所定の条件式を満足させることにより、撮影画角が１２０度を超える超広角レンズ系でありながら、バックフォーカスが長く、イメージサークルが大きな３５ｍｍフォーマットの交換レンズに適した、フォーカシングによる収差変動が少なく、高性能な超広角レンズ系を提供している。
【００１５】
しかしこの技術も特許文献１、２と同様にフォーカス群は複数のレンズで構成される全体として負の屈折力を持つレンズ群であるため、フォーカスレンズ群の重量軽減が十分ではない。
【００１６】
特許文献４の実施例１は単焦点レンズであるが、像高変化率ηは最大像高２１．６３で−０．３７％と大きい。
【００１７】
また、特許文献４のズームレンズである実施例２では、広角端での像高変化率ηは、最大像高２１．６３で−０．７％とさらに大きい課題がある。
【００１８】
本発明は上述した従来技術の課題に対してなされたものであり、パワー配置を適切に設定することによりフォーカスレンズ群を軽量化し、像高変化率の小さいインナーフォーカスに最適な、画角が１２０度を超える広画角なズームレンズの提供を目的とする。
【課題を解決するための手段】
【００１９】
上記課題を解決するために第１の発明の超広角ズームレンズでは、物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成し、物体側無限遠から近距離物体へフォーカシングする際、第２レンズ群Ｇ２が像面方向へ移動し、以下の条件を満足することとした。
（１）５．０＜ｆ２／ｆｗ＜４０．０
（２）０．４＜１／（ＭＲＴ＾２×（Ｍ２Ｔ＾２−１））
ただし、
ｆｗ：ワイド端無限遠時の焦点距離
ｆ２：第２レンズ群の焦点距離
Ｍ２Ｔ：物体距離無限遠時の望遠端の第２レンズ群の倍率負担
ＭＲＴ：物体距離無限遠時の望遠端の第３レンズ群から第５レンズ群までの合成倍率負担
【００２０】
また、第２の発明の超広角ズームレンズでは、第１の発明においてさらに、第２レンズ群Ｇ２の物体側の面を基準とし、広角端の第２レンズ群Ｇ２から絞りの前までの面の合成光学系による絞りの像位置をＦｃＥｎｔｐとした時、以下の条件を満足することとした。
（３）０．１＜ＦｃＥｎｔｐ／ｆ２＜０．７
（４）２．５＜ＦｃＥｎｔｐ／ｆｗ
【００２１】
また、第３の発明の超広角ズームレンズでは、第１乃至第２の発明においてさらに、変倍時において第１レンズ群Ｇ１が像面に対し固定であることとした。
【発明の効果】
【００２２】
本発明によれば、パワー配置を適切に設定することによりフォーカスレンズ群を軽量化し、像高変化率の小さいインナーフォーカスに最適な、画角が１２０度を超える広画角なズームレンズを提供することができる。
【図面の簡単な説明】
【００２３】
【図１】本発明の実施例１の結像光学系の広角端で無限遠合焦時のレンズ構成図である。
【図２】本発明の実施例１の無限遠物体における縦収差図であり、ａが広角端、ｂが中間焦点距離（１５．３３ｍｍ）、ｃが望遠端の収差図である。
【図３】本発明の実施例１の無限遠物体における横収差図であり、ａが広角端、ｂが中間焦点距離（１５．３３ｍｍ）、ｃが望遠端の収差図である。
【図４】本発明の実施例１の物体距離４００ｍｍにおける縦収差図であり、ａが広角端、ｂが中間焦点距離（１５．３３ｍｍ）、ｃが望遠端の収差図である。
【図５】本発明の実施例１の物体距離４００ｍｍにおける横収差図であり、ａが広角端、ｂが中間焦点距離（１５．３３ｍｍ）、ｃが望遠端の収差図である。
【図６】本発明の実施例２の結像光学系の広角端で無限遠合焦時のレンズ構成図である。
【図７】本発明の実施例２の無限遠物体における縦収差図であり、ａが広角端、ｂが中間焦点距離（１６．４４ｍｍ）、ｃが望遠端の収差図である。
【図８】本発明の実施例２の無限遠物体における横収差図であり、ａが広角端、ｂが中間焦点距離（１６．４４ｍｍ）、ｃが望遠端の収差図である。
【図９】本発明の実施例２の物体距離４００ｍｍにおける縦収差図であり、ａが広角端、ｂが中間焦点距離（１６．４４ｍｍ）、ｃが望遠端の収差図である。
【図１０】本発明の実施例２の物体距離４００ｍｍにおける横収差図であり、ａが広角端、ｂが中間焦点距離（１６．４４ｍｍ）、ｃが望遠端の収差図である。
【図１１】本発明の実施例３の結像光学系の広角端で無限遠合焦時のレンズ構成図である。
【図１２】本発明の実施例３の無限遠物体における縦収差図であり、ａが広角端、ｂが中間焦点距離（１６．４１ｍｍ）、ｃが望遠端の収差図である。
【図１３】本発明の実施例３の無限遠物体における横収差図であり、ａが広角端、ｂが中間焦点距離（１６．４１ｍｍ）、ｃが望遠端の収差図である。
【図１４】本発明の実施例３の物体距離４００ｍｍにおける縦収差図であり、ａが広角端、ｂが中間焦点距離（１６．４１ｍｍ）、ｃが望遠端の収差図である。
【図１５】本発明の実施例３の物体距離４００ｍｍにおける横収差図であり、ａが広角端、ｂが中間焦点距離（１６．４１ｍｍ）、ｃが望遠端の収差図である。
【図１６】本発明の実施例４の結像光学系の広角端で無限遠合焦時のレンズ構成図である。
【図１７】本発明の実施例４の無限遠物体における縦収差図であり、ａが広角端、ｂが中間焦点距離（１６．０５ｍｍ）、ｃが望遠端の収差図である。
【図１８】本発明の実施例４の無限遠物体における横収差図であり、ａが広角端、ｂが中間焦点距離（１６．０５ｍｍ）、ｃが望遠端の収差図である。
【図１９】本発明の実施例４の物体距離４００ｍｍにおける縦収差図であり、ａが広角端、ｂが中間焦点距離（１６．０５ｍｍ）、ｃが望遠端の収差図である。
【図２０】本発明の実施例４の物体距離４００ｍｍにおける横収差図であり、ａが広角端、ｂが中間焦点距離（１６．０５ｍｍ）、ｃが望遠端の収差図である。
【図２１】本発明の実施例５の結像光学系の広角端で無限遠合焦時のレンズ構成図である。
【図２２】本発明の実施例５の無限遠物体における縦収差図であり、ａが広角端、ｂが中間焦点距離（１６．１２ｍｍ）、ｃが望遠端の収差図である。
【図２３】本発明の実施例５の無限遠物体における横収差図であり、ａが広角端、ｂが中間焦点距離（１６．１２ｍｍ）、ｃが望遠端の収差図である。
【図２４】本発明の実施例５の物体距離４００ｍｍにおける縦収差図であり、ａが広角端、ｂが中間焦点距離（１６．１２ｍｍ）、ｃが望遠端の収差図である。
【図２５】本発明の実施例５の物体距離４００ｍｍにおける横収差図であり、ａが広角端、ｂが中間焦点距離（１６．１２ｍｍ）、ｃが望遠端の収差図である。
【図２６】本発明の実施例６の結像光学系の広角端で無限遠合焦時のレンズ構成図である。
【図２７】本発明の実施例６の無限遠物体における縦収差図であり、ａが広角端、ｂが中間焦点距離（１７．１５ｍｍ）、ｃが望遠端の収差図である。
【図２８】本発明の実施例６の無限遠物体における横収差図であり、ａが広角端、ｂが中間焦点距離（１７．１５ｍｍ）、ｃが望遠端の収差図である。
【図２９】本発明の実施例６の物体距離４００ｍｍにおける縦収差図であり、ａが広角端、ｂが中間焦点距離（１７．１５ｍｍ）、ｃが望遠端の収差図である。
【図３０】本発明の実施例６の物体距離４００ｍｍにおける横収差図であり、ａが広角端、ｂが中間焦点距離（１７．１５ｍｍ）、ｃが望遠端の収差図である。
【図３１】本発明の実施例７の結像光学系の広角端で無限遠合焦時のレンズ構成図である。
【図３２】本発明の実施例７の無限遠物体における縦収差図であり、ａが広角端、ｂが中間焦点距離（１６．８６ｍｍ）、ｃが望遠端の収差図である。
【図３３】本発明の実施例７の無限遠物体における横収差図であり、ａが広角端、ｂが中間焦点距離（１６．８６ｍｍ）、ｃが望遠端の収差図である。
【図３４】本発明の実施例７の物体距離４００ｍｍにおける縦収差図であり、ａが広角端、ｂが中間焦点距離（１６．８６ｍｍ）、ｃが望遠端の収差図である。
【図３５】本発明の実施例７の物体距離４００ｍｍにおける横収差図であり、ａが広角端、ｂが中間焦点距離（１６．８６ｍｍ）、ｃが望遠端の収差図である。
【発明を実施するための形態】
【００２４】
本発明に係る超広角ズームレンズは、物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成され、物体側無限遠から近距離物体へフォーカシングする際、第２レンズ群Ｇ２が像面方向へ移動する構成となっている。
【００２５】
本実施形態に係る超広角ズームレンズでは、物体側無限遠から近距離物体へフォーカシングする際、単レンズである第２レンズ群Ｇ２が像面方向へ移動することで、フォーカシングに係るアクチュエータへの負荷が少なく、高速なフォーカシング動作を実現し、またフォーカシングによる像高変動を微小にすることができる。また、第２レンズ群Ｇ２を正パワーの単レンズにすることにより、フォーカシングに係るアクチュエータを小型にすることができ、全体の光学系をコンパクトにすることが可能となる。
【００２６】
また、高速な合焦動作、光学系の小型化を実現するため、ワイド端無限遠時の焦点距離をｆｗ、第２レンズ群の焦点距離をｆ２とした時、以下の条件式を満足することを特徴とする。
（１）５．０＜ｆ２／ｆｗ＜４０．０
ただし、
ｆｗ：ワイド端無限遠時の焦点距離
ｆ２：第２レンズ群の焦点距離
【００２７】
また、ＡＦ合焦範囲内にフォーカスレンズ群である第２レンズ群を駆動制御するためには、第２レンズ群、および、第２レンズ群以降の倍率負担を規定することが重要になり、物体距離無限遠時の望遠端の第２レンズ群の倍率負担をＭ２Ｔ、物体距離無限遠時の望遠側の第３レンズ群から第５レンズ群までの合成倍率負担ＭＲＴとした時、以下の条件式を満足することを特徴としている。
（２）０．４＜１／（ＭＲＴ＾２×（Ｍ２Ｔ＾２−１））
ただし、
Ｍ２Ｔ：物体距離無限遠時の望遠端の第２レンズ群の倍率負担
ＭＲＴ：物体距離無限遠時の望遠端の第３レンズ群から第５レンズ群までの合成倍率負担
【００２８】
また、第２の発明では、ウオブリングによる像高変動を抑制することを目的としている。ウオブリングによる像高変動は、ウオブリングによる歪曲収差の変動で表すことができる。
【００２９】
松居吉哉著、レンズ設計法、共立出版Ｐ８８によれば３次の歪曲収差係数Ｖは以下の式であらわされる。
Ｖ＝Ｊ・ＩＶ
これを展開すると以下になり、
Ｖ＝（Ｈ’・Ｑ’）＾３／（Ｈ・Ｑ）・Ｈ＾２・Δ（１／（ｎ・ｓ））＋Ｐ・（Ｈ’ｈ・Ｑ’）／（Ｈ・Ｑ）      参考式（２）
３次の歪曲収差係数Ｖは近軸主光線高Ｈ’の３乗に比例する。
【００３０】
これより、ウオブリングによる歪曲収差の変動を少なくするには、ウオブリングによるフォーカスレンズ群の主光線高の変動を少なくすればよい。
【００３１】
ここで、物体距離無限遠時のフォーカスレンズ群による絞りの像の位置、およびフォーカスレンズ群である第２レンズ群の倍率負担、フォーカスレンズ群より後方のレンズ群である第３レンズ群から第５レンズ群までの合成倍率負担、およびフォーカスレンズ群における主光線高から、ウオブリングによるフォーカスレンズ群の主光線高の変動Δｈは以下の式で表される。
Δｈ＝ｈ’−ｈ＝ｈ・Δｓ／（ＦｃＥｎｔｐ×ＭＲ＾２×（Ｍ２＾２−１））      参考式（３）
ただし、
ＦｃＥｎｔｐ：物体距離無限遠時の広角端の第２レンズ群Ｇ２から絞りの前までの面の合成光学系による絞りの像位置
Δｓ：ウオブリング時の像面移動量
ｈ：物体距離無限遠時のフォーカスレンズ群における主光線高
ｈ’：ウオブリング時のフォーカスレンズ群における主光線高
Ｍ２：物体距離無限遠時の第２レンズ群の倍率負担
ＭＲ：物体距離無限遠時の第３レンズ群から第５レンズ群までの合成倍率負担
【００３２】
このため、主光線高の変動を少なくするには、物体距離無限遠時のフォーカスレンズ群による絞りの像の位置を大きくすればよいことがわかる。
【００３３】
したがって、第２の発明では、フォーカスレンズ群である第２レンズ群Ｇ２の物体側の面を基準とし、広角端の第２レンズ群Ｇ２から絞りの前までの面の合成光学系による絞りの像位置をＦｃＥｎｔｐとした時、以下の条件を満足することで達成される。
（３）０．１＜ＦｃＥｎｔｐ／ｆ２＜０．７
（４）２．５＜ＦｃＥｎｔｐ／ｆｗ
【００３４】
また、変倍時において第１レンズ群が像面に対し固定であっても、移動してもよい。
【００３５】
以下、本発明の条件式について説明する。
【００３６】
条件式（１）は、フォーカスレンズ群である第２レンズ群の焦点距離を規定し、高速な合焦動作、光学系の小型化を実現するための条件である。条件式（１）の下限を超え第２レンズ群Ｇ２の焦点距離ｆ２が短くなると、フォーカスのための繰出し量が短くなりすぎ、正確な合焦位置でフォーカスレンズ群を停止させることが困難になる。
【００３７】
また条件式（１）の上限を超え第２レンズ群Ｇ２の焦点距離ｆ２が長くなると、フォーカスのための繰出し量が長くなり、第２レンズ群と第３レンズ群との間のスペース確保が困難になりズーム比がかせげない。またコンパクト化に不利なため、フィルター径が大きくなる。なお、条件式（１）について、その下限値をさらに１０に、また、上限値をさらに２５．６とすることで、前述の効果をより確実にすることができる。
【００３８】
条件式（２）は第２レンズ群Ｇ２がフォーカス時に移動した時の結像面の敏感度を規定する。条件式（２）の下限を超えると、フォーカスレンズ群の移動量が少なくなるため、フォーカスレンズ群の微少な動きで結像面が大きく動き、ＡＦ合焦範囲内にフォーカスレンズ群である第２レンズ群Ｇ２を駆動制御することが困難になる。なお、条件式（２）について、その下限値をさらに０．５４とすることで、前述の効果をより確実にすることができる。
【００３９】
条件式（３）、（４）は、併せてウオブリング時の像高変動を抑制させるための条件である。条件式（３）の下限を超え、広角端の第２レンズ群Ｇ２から絞りの前までの面の合成光学系による絞りの像位置までの距離が小さくなると、ウオブリング時のフォーカスレンズ群の主光線高の変動が大きくなるため、ウオブリング時の像高変動を抑制することが困難になる。
【００４０】
また、条件式（３）の上限を超え、広角端の第２レンズ群Ｇ２から絞りの前までの面の合成光学系による絞りの像位置までの距離が大きくなると、フォーカスレンズ群から絞りまでの距離が大きくなるため、広角端の光学全長が長くなり、フィルター径の増大や周辺光量を確保することが困難になる。また第２レンズ群Ｇ２の焦点距離が短くなると、第１、第２レンズ群の合成系の負の屈折力が弱くなるため、バックフォーカスが短くなり、一眼レフレックスカメラに装着使用する際のクイックリターンミラーへの干渉抑制が困難になる。なお、条件式（３）について、その下限値をさらに０．１６に、また、上限値をさらに０．５５とすることで、前述の効果をより確実にすることができる。
【００４１】
また、条件式（４）の下限を超え、広角端の第２レンズ群Ｇ２から絞りの前までの面の合成光学系による絞りの像位置までの距離が小さくなると、ウオブリング時のフォーカスレンズ群の主光線高の変動が大きくなるため、ウオブリング時の像高変動を抑制することが困難になる。なお、条件式（４）について、その下限値をさらに３．７３とすることで、前述の効果をより確実にすることができる。
【００４２】
次に、本発明の結像光学系に係る実施例のレンズ構成について説明する。なお、以下の説明ではレンズ構成を物体側から像側の順番で記載する。
【実施例１】
【００４３】
図１は、本発明の実施例１の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成される。
【００４４】
第１レンズ群Ｇ１は、物体側に凸面を向けた負メニスカスレンズ、両側の面は非球面形状で物体側に凸面を向けた負メニスカスレンズ、両側の面は非球面形状で物体側に凸面を向けた負メニスカスレンズ、両側の面は非球面形状で両凹の負レンズ、物体側に凸面を向けた正メニスカスレンズから成る。
【００４５】
また、第２レンズ群Ｇ２は、両凸レンズで構成される。
【００４６】
また、第３レンズ群Ｇ３は、物体側に凸面を向けた正メニスカスレンズ、開口絞り、両凸レンズと物体側に凹面を向けた負メニスカスレンズとから成る接合の負レンズ、両凸レンズと物体側に凹面を向けた負メニスカスレンズとから成る接合の正レンズから成る。
【００４７】
また、第４レンズ群Ｇ４は、両凸レンズと物体側に凹面を向けた負メニスカスレンズとから成る接合の正レンズ、両凸レンズから成る。
【００４８】
また、第５レンズ群Ｇ５は、物体側に凸面を向けた負メニスカスレンズと物体側に凸面を向けた正メニスカスレンズとから成る接合の負レンズ、物体側に凹面を向けた正メニスカスレンズ、物体側に凹面を向け、物体側の面に樹脂の層が形成されており、その物体側の面は非球面からなる正メニスカスレンズから成る。
【実施例２】
【００４９】
図６は、本発明の実施例２の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成される。
【００５０】
第１レンズ群Ｇ１は、物体側に凸面を向けた負メニスカスレンズ、物体側の面は非球面形状で物体側に凸面を向けた負メニスカスレンズ、物体側の面は非球面形状で物体側に凸面を向けた負メニスカスレンズ、物体側の面は非球面形状で両凹の負レンズ、物体側に凸面を向けた正メニスカスレンズから成る。
【００５１】
また、第２レンズ群Ｇ２は、物体側に凸面を向けた正メニスカスレンズで構成される。
【００５２】
また、第３レンズ群Ｇ３は、両凸レンズ、開口絞り、両凸レンズと両凹レンズとから成る接合の負レンズ、物体側に凹面を向けた正メニスカスレンズと物体側に凹面を向けた負メニスカスレンズとから成る接合の正レンズから成る。
【００５３】
また、第４レンズ群Ｇ４は、両凸レンズと物体側に凹面を向けた負メニスカスレンズとから成る接合の正レンズ、両凸レンズから成る。
【００５４】
また、第５レンズ群Ｇ５は、両凹レンズと物体側に凸面を向けた正メニスカスレンズとから成る接合の負レンズ、両凸レンズ、物体側に凹面を向け、物体側の面に樹脂の層が形成されており、その物体側の面は非球面からなる正メニスカスレンズから成る。
【実施例３】
【００５５】
図１１は、本発明の実施例３の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成される。
【００５６】
第１レンズ群Ｇ１は、物体側に凸面を向けた負メニスカスレンズ、物体側の面は非球面形状で物体側に凸面を向けた負メニスカスレンズ、物体側の面は非球面形状で物体側に凸面を向けた負メニスカスレンズ、物体側の面は非球面形状で両凹の負レンズ、両凸レンズから成る。
【００５７】
また、第２レンズ群Ｇ２は、両凸レンズで構成される。
【００５８】
また、第３レンズ群Ｇ３は、両凸レンズ、開口絞り、両凸レンズと両凹レンズとから成る接合の負レンズ、両凸レンズと物体側に凹面を向けた負メニスカスレンズとから成る接合の正レンズから成る。
【００５９】
また、第４レンズ群Ｇ４は、両凸レンズと物体側に凹面を向けた負メニスカスレンズとから成る接合の正レンズ、両凸レンズから成る。
【００６０】
また、第５レンズ群Ｇ５は、物体側に凸面を向けた負メニスカスレンズと両凸レンズとから成る接合の負レンズ、物体側に凹面を向けた正メニスカスレンズ、物体側に凹面を向け、物体側の面に樹脂の層が形成されており、その物体側の面は非球面からなる正メニスカスレンズから成る。
【実施例４】
【００６１】
図１６は、本発明の実施例４の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成される。
【００６２】
第１レンズ群Ｇ１は、物体側に凸面を向けた負メニスカスレンズ、物体側の面は非球面形状で物体側に凸面を向けた負メニスカスレンズ、物体側の面は非球面形状で物体側に凸面を向けた負メニスカスレンズ、物体側の面は非球面形状で両凹の負レンズ、両凸レンズから成る。
【００６３】
また、第２レンズ群Ｇ２は、両凸レンズで構成される。
【００６４】
また、第３レンズ群Ｇ３は、両凸レンズ、開口絞り、両凸レンズと両凹レンズとから成る接合の負レンズ、両凸レンズと物体側に凹面を向けた負メニスカスレンズとから成る接合の正レンズから成る。
【００６５】
また、第４レンズ群Ｇ４は、両凸レンズと物体側に凹面を向けた負メニスカスレンズとから成る接合の正レンズ、両凸レンズから成る。
【００６６】
また、第５レンズ群Ｇ５は、物体側に凸面を向けた負メニスカスレンズと両凸レンズとから成る接合の正レンズ、物体側の面は非球面形状で物体側に凹面を向けた負メニスカスレンズから成る。
【実施例５】
【００６７】
図２１は、本発明の実施例５の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成される。
【００６８】
第１レンズ群Ｇ１Ｇ１は、物体側に凸面を向けた負メニスカスレンズ、物体側の面は非球面形状で物体側に凸面を向けた負メニスカスレンズ、物体側の面は非球面形状で物体側に凸面を向けた負メニスカスレンズ、物体側の面は非球面形状で両凹の負レンズ、両凸レンズから成る。
【００６９】
また、第２レンズ群Ｇ２は、物体側に凸面を向けた正メニスカスレンズで構成される。
【００７０】
また、第３レンズ群Ｇ３は、両凸レンズ、開口絞り、両凸レンズと両凹レンズとから成る接合の負レンズ、両凸レンズと物体側に凹面を向けた負メニスカスレンズとから成る接合の正レンズから成る。
【００７１】
また、第４レンズ群Ｇ４は、物体側に凹面を向けた正メニスカスレンズと物体側に凹面を向けた負メニスカスレンズとから成る接合の正レンズ、両凸レンズから成る。
【００７２】
また、第５レンズ群Ｇ５は、物体側に凸面を向けた負メニスカスレンズと像側の面は非球面の両凸レンズとから成る接合の負レンズから成る。
【実施例６】
【００７３】
図２６は、本発明の実施例６の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成され、変倍時に第１レンズ群は像面に対し固定である。
【００７４】
第１レンズ群Ｇ１は、物体側に凸面を向けた負メニスカスレンズ、物体側の面は非球面形状で物体側に凸面を向けた負メニスカスレンズ、物体側の面は非球面形状で物体側に凸面を向けた負メニスカスレンズ、物体側の面は非球面形状で両凹の負レンズ、物体側に凸面を向けた正メニスカスレンズから成る。
【００７５】
また、第２レンズ群Ｇ２は、物体側に凸面を向けた正メニスカスレンズで構成される。
【００７６】
また、第３レンズ群Ｇ３は、物体側に凸面を向けた正メニスカスレンズ、開口絞り、両凸レンズと両凹レンズとから成る接合の負レンズ、両凸レンズと物体側に凹面を向けた負メニスカスレンズとから成る接合の正レンズから成る。
【００７７】
また、第４レンズ群Ｇ４は、両凸レンズと物体側に凹面を向けた負メニスカスレンズとから成る接合の正レンズ、両凸レンズから成る。
【００７８】
また、第５レンズ群Ｇ５は、物体側に凸面を向けた負メニスカスレンズと両凸レンズとから成る接合の負レンズ、物体側の面は非球面形状で物体側に凹面を向けた負メニスカスレンズから成る。
【実施例７】
【００７９】
図３１は、本発明の実施例７の結像光学系の広角端で無限遠合焦時のレンズ構成図である。物体側より順に負パワーの第１レンズ群Ｇ１、正パワーの単レンズからなる第２レンズ群Ｇ２、正パワーの第３レンズ群Ｇ３、正パワーの第４レンズ群Ｇ４、負パワーの第５レンズ群Ｇ５で構成され、変倍時に第１レンズ群は像面に対し固定である。
【００８０】
第１レンズ群Ｇ１は、物体側に凸面を向けた負メニスカスレンズ、物体側の面は非球面形状で物体側に凸面を向けた負メニスカスレンズ、物体側の面は非球面形状で物体側に凸面を向けた負メニスカスレンズ、物体側の面は非球面形状で両凹の負レンズ、両凸レンズから成る。
【００８１】
また、第２レンズ群Ｇ２は、物体側に凸面を向けた正メニスカスレンズで構成される。
【００８２】
また、第３レンズ群Ｇ３は、物体側に凸面を向けた正メニスカスレンズ、開口絞り、両凸レンズと両凹レンズとから成る接合の負レンズ、両凸レンズと物体側に凹面を向けた負メニスカスレンズとから成る接合の正レンズから成る。
【００８３】
また、第４レンズ群Ｇ４は、両凸レンズと物体側に凹面を向けた負メニスカスレンズとから成る接合の正レンズ、両凸レンズから成る。
【００８４】
また、第５レンズ群Ｇ５は、物体側に凸面を向けた負メニスカスレンズと物体側に凸面を向けた正メニスカスレンズとから成る接合の負レンズ、物体側に凹面を向けた正メニスカスレンズ、物体側の面は非球面形状で物体側に凹面を向けた負メニスカスレンズから成る。
【００８５】
なお、本発明ではフォーカスレンズ群を正の屈折力を持つ単レンズで構成しているが、そのレンズの片面あるいは両面を非球面化し球面収差、非点収差等の補正能力を上げる、あるいは回折光学素子を付加し色収差補正能力を上げることも可能である。また、フォーカスレンズ群の重量増にはなるが、フォーカス時の色収差変動の抑制を重要視する場合は、フォーカスレンズ群に負レンズを接合し色収差能力を向上させることも可能である。
【００８６】
また、フォーカスレンズを変倍時に光軸方向に移動させ、収差補正に自由度を与え、より高性能化、コンパクト化を行うことも可能である。
【００８７】
以下に、前述した本発明の結像光学系の各実施例の具体的な数値データを示す。
【００８８】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００８９】
面番号に付した＊（アスタリスク）は、そのレンズ面形状が非球面であることを示している。また、ＢＦはバックフォーカスを表している。
【００９０】
面番号に付した（絞り）は、その位置に開口絞りが位置していることを示している。平面又は開口絞りに対する曲率半径には∞（無限大）を記入している。
【００９１】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０、１２次の非球面係数をそれぞれＡ４、Ａ６、Ａ８、Ａ１０、Ａ１２と置くとき、非球面の座標が以下の式で表されるものとする。
【００９２】
2015203734.tif 000003
【００９３】
［各種データ］には、ズーム比及び各焦点距離状態における焦点距離等の値を示している。
【００９４】
［可変間隔データ］には、各焦点距離状態における、無限遠及び物体距離４００ｍｍでの可変間隔及びＢＦの値を示している。
【００９５】
［レンズ群データ］には、各レンズ群を構成する最も物体側の面番号及び群全体の合成焦点距離を示している。
【００９６】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００９７】
また、これらの各実施例における条件式の対応値の一覧を示す。
【００９８】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００９９】
数値実施例1
単位：mm
[面データ]
面番号            r              d             nd             vd
物面                  ∞           (d0)
1              37.9146         1.6443        2.00060          25.46
2              23.8702        10.6674
3*             79.4384         2.5692        1.77250          49.62
4*             20.4726        10.4375
5*           1027.6919         1.3360        1.69350          53.20
6*             41.8220         7.4758
7*           -109.9763         1.1305        1.77250          49.62
8*             22.9400         0.5138
9              27.1604         4.3471        2.00099          29.14
10             153.0204          (d10)
11              98.7716         2.8685        1.51679          64.20
12            -145.1279          (d12)
13              21.3749         1.7676        1.60342          38.00
14             113.9282         8.4374
15(絞り)                ∞         1.9423
16              47.7651         2.6206        1.48749          70.44
17             -21.0789         0.8222        2.00099          29.14
18            -431.7073         0.8119
19             262.6260         7.5007        1.84666          23.78
20             -11.7078         0.8222        1.91082          35.25
21            -129.1242          (d21)
22              81.6013         4.5747        1.43700          95.10
23             -15.5458         0.8735        1.91082          35.25
24             -25.9527         0.1542
25              50.6580         2.8852        1.43700          95.10
26             -59.7294          (d26)
27             137.1271         0.9249        2.00099          29.14
28              21.1537         4.7068        1.43700          95.10
29             479.1896         2.0246
30             -42.8827         2.7953        1.43700          95.10
31             -25.3436         0.8222
32*            -32.4792         0.1028        1.51840          52.09
33             -28.8124         2.5487        1.48749          70.44
34             -22.5260           (BF)
像面                  ∞
[非球面データ]
3面            4面            5面            6面      
K                0.0000         0.0000         0.0000         0.0000
A4           3.32416E-05   -1.53740E-05    7.02464E-05    1.23173E-04
A6          -1.29912E-07    5.41831E-08   -3.54071E-07   -8.18080E-07
A8           2.14378E-10   -7.13674E-10    1.13096E-09    2.55874E-09
A10         -1.32527E-13    1.55164E-12   -3.05301E-13   -2.02290E-12
A12          2.37145E-17    0.00000E+00    0.00000E+00    0.00000E+00
7面            8面           32面
K                0.0000         0.0000         3.0593
A4          -9.04047E-06   -2.74464E-05   -6.41829E-06
A6          -2.62714E-07   -7.74027E-08    3.62326E-08
A8           1.36796E-09    1.10877E-09   -1.04707E-10
A10         -1.67460E-12   -2.08849E-12    1.12764E-12
A12          0.00000E+00    0.00000E+00    0.00000E+00
[各種データ]
ズーム比              1.88
広角           中間           望遠
焦点距離             11.33          15.33          21.30
Fナンバー             4.50           5.00           5.86
全画角2ω           126.85         108.80          87.93 
像高Y              21.63          21.63          21.63
レンズ全長           163.42         156.24         156.59
[可変間隔データ]
広角           中間           望遠
d0                   ∞             ∞             ∞
d10              2.3258         2.3258         2.3258
d12             26.7714        12.3866         2.0509
d21              5.8476         3.6767         0.7194
d26              0.9249         4.7945         8.6840
BF              37.4199        42.9280        52.6794
広角           中間           望遠
d0             236.5825       243.7604       243.4126
d10              3.2636         3.2386         3.2398
d12             25.8336        11.4738         1.1369
d21              5.8476         3.6767         0.7194
d26              0.9249         4.7945         8.6840
BF              37.4199        42.9282        52.6795
[レンズ群データ]
群            始面         焦点距離
G1              1                -10.56
G2             11                114.18
G3             13                 53.66
G4             22                 38.71
G5             27               -417.67
【０１００】
数値実施例2
単位：mm
[面データ]
面番号            r              d             nd             vd
物面                  ∞           (d0)
1              41.1370         1.9000        1.91082          35.25
2              23.3920        10.1828
3*             52.8334         2.5000        1.69350          53.20
4              17.9014         8.6152
5*             46.1947         1.5000        1.69350          53.20
6              25.5645         6.5491
7*            -48.8524         1.4000        1.69350          53.20
8              40.0639         0.3554
9              46.9526         4.7180        2.00099          29.14
10            -558.0938          (d10)
11              59.4249         2.3123        1.43700          95.10
12             183.4579          (d12)
13              34.3243         1.6990        1.58144          40.89
14             -53.6325         7.7774
15(絞り)                ∞         1.7580
16              44.2024         2.8194        1.43700          95.10
17             -19.7225         0.8000        2.00099          29.14
18             270.1768         1.7460
19            -185.7708         3.3472        1.84666          23.78
20             -12.2644         0.8000        1.91082          35.25
21             -52.7456          (d21)
22             113.6857         5.0981        1.43700          95.10
23             -14.4916         0.8500        1.91082          35.25
24             -19.6223         0.1500
25             136.1141         3.1200        1.43700          95.10
26             -48.2914          (d26)
27           -1237.7996         0.9000        1.88300          40.80
28              19.4933         5.1937        1.43700          95.10
29             301.3134         0.8600
30             439.9248         3.6990        1.43700          95.10
31             -37.2844         0.6930
32*            -49.0700         0.1000        1.51840          52.09
33             -46.2470         2.5540        1.48749          70.44
34             -31.9010           (BF)
像面                  ∞
[非球面データ]
3面            5面            7面           32面
K                0.0000         6.6376         0.0000         0.0000
A4           3.62001E-05   -3.12602E-05    8.70575E-06   -7.91190E-06
A6          -1.21704E-07    3.37975E-07   -1.85017E-07    1.86390E-09
A8           2.83170E-10   -1.31283E-09    1.19319E-09    9.18860E-11
A10         -3.59810E-13    2.09841E-12   -2.51596E-12    5.47840E-15
A12          1.93810E-16   -1.53790E-15    0.00000E+00    0.00000E+00
[各種データ]
ズーム比              1.73
広角           中間           望遠
焦点距離             12.31          16.44          21.34
Fナンバー             4.76           5.20           5.88
全画角2ω           122.89         103.73          87.64
像高Y              21.63          21.63          21.63
レンズ全長           156.79         149.76         147.67
[可変間隔データ]
広角           中間           望遠
d0                   ∞             ∞             ∞
d10              1.0000         1.0000         1.0000
d12             25.0270        11.5680         3.8467
d21              7.9930         6.7010         3.3120
d26              0.9000         6.6000        11.1500
BF              37.8756        39.8967        44.3602
広角           中間           望遠
d0             243.2069       250.2368       252.3336
d10              3.1533         3.0995         3.0840
d12             22.8737         9.4685         1.7627
d21              7.9930         6.7010         3.3120
d26              0.9000         6.6000        11.1500
BF              37.8756        39.8967        44.3602
[レンズ群データ]
群            始面         焦点距離
G1              1               -12.66
G2             11               200.00
G3             13                55.43
G4             22                33.60
G5             27              -291.22
【０１０１】
数値実施例3
単位：mm
[面データ]
面番号            r              d             nd             vd
物面                  ∞           (d0)
1              41.7797         1.9297        1.91082          35.25
2              23.7575         9.0005
3*             68.7345         2.5391        1.69350          53.20
4              20.6740         9.0143
5*             50.0068         1.5234        1.69350          53.20
6              26.6815         8.4801
7*            -34.3523         1.4219        1.69350          53.20
8              64.0168         0.1523
9              64.8176         4.7917        2.00099          29.14
10            -181.2505          (d10)
11             105.7189         2.4526        1.43700          95.10
12            -500.8332          (d12)
13              25.7613         1.7255        1.58144          40.89
14             -86.7238         9.1982
15(絞り)                ∞         1.7855
16              46.0232         3.0791        1.43700          95.10
17             -17.1848         0.8125        2.00099          29.14
18              53.7618         1.7733
19              88.3991         3.6478        1.84666          23.78
20             -13.5155         0.8125        1.91082          35.25
21             -64.1766          (d21)
22              80.0099         5.2464        1.43700          95.10
23             -15.2144         0.8633        1.91082          35.25
24             -20.5063         0.1523
25              84.2189         3.1687        1.43700          95.10
26             -59.6213          (d26)
27             151.0773         0.9141        1.88300          40.80
28              18.8489         6.1816        1.43700          95.10
29            -123.3420         0.8734
30             -53.7423         3.7568        1.43700          95.10
31             -38.2661         0.7038
32*            -49.8367         0.1016        1.51840          52.09
33             -46.9696         2.5939        1.48749          70.44
34             -32.3994           (BF)
像面                  ∞
[非球面データ]
3面            5面            7面           32面
K                0.0000         8.3451         0.0000         0.0000
A4           3.26669E-05   -2.94440E-05    5.35140E-06   -7.55234E-06
A6          -1.09896E-07    3.04500E-07   -1.91484E-07    1.72487E-09
A8           2.54048E-10   -1.26367E-09    1.30155E-09    8.24363E-11
A10         -3.12951E-13    2.20833E-12   -3.65752E-12    4.76493E-15
A12          1.63423E-16   -1.27434E-15    0.00000E+00    0.00000E+00
[各種データ]
ズーム比              1.73
広角           中間           望遠
焦点距離             12.40          16.41          21.43
Fナンバー             4.69           5.13           5.90
全画角2ω           122.60         104.98          88.33
像高Y              21.63          21.63          21.63
レンズ全長           162.00         155.35         154.12
[可変間隔データ]
広角           中間           望遠
d0                   ∞             ∞             ∞
d10              1.0156         1.0156         1.0156
d12             25.4180        11.7487         3.9838
d21              8.1179         6.8057         3.3637
d26              0.9141         6.7031        11.3242
BF              37.8383        40.3837        45.7326
広角           中間           望遠
d0             238.0000       244.6470       245.8839
d10              3.0863         3.0362         3.0272
d12             23.3474         9.7281         1.9722
d21              8.1179         6.8057         3.3637
d26              0.9141         6.7031        11.3242
BF              37.8383        40.3838        45.7327
[レンズ群データ]
群            始面         焦点距離
G1              1               -12.66
G2             11               200.00
G3             13                62.16
G4             22                32.30
G5             27              -331.59
【０１０２】
数値実施例4
単位：mm
[面データ]
面番号            r              d             nd             vd
物面                  ∞           (d0)
1              41.7797         1.9297        1.91082          35.25
2              23.7575         6.6070
3*             56.4319         2.5391        1.69350          53.20
4              19.5713         9.6213
5*             52.2211         1.5234        1.69350          53.20
6              26.2619         8.7254
7*            -31.2558         1.4219        1.69350          53.20
8             134.8072         0.1523
9             109.0848         4.7917        2.00099          29.14
10             -96.2690          (d10)
11             351.0034         2.5230        1.43700          95.10
12            -115.8691          (d12)
13              20.9480         1.7255        1.58144          40.89
14            -143.8500         7.6783
15(絞り)                ∞         1.7855
16              40.0194         2.9668        1.43700          95.10
17             -17.3364         0.8125        2.00099          29.14
18              41.8470         1.7733
19              85.7306         6.1264        1.84666          23.78
20             -11.7627         0.8125        1.91082          35.25
21            -158.8753          (d21)
22             110.2854         7.1766        1.43700          95.10
23             -15.1717         0.8633        1.91082          35.25
24             -21.2976         0.1523
25              65.4465         5.4010        1.43700          95.10
26             -43.1436          (d26)
27              75.1099         0.9141        1.88300          40.80
28              22.0123         9.1844        1.43700          95.10
29             -50.8365         0.7038
30*           -218.2571         0.8000        1.48749          70.44
31            -505.5932           (BF)
像面                  ∞
[非球面データ]
3面            5面            7面           30面
K                0.0000         8.1043         0.0000         0.0000
A4           3.54676E-05   -3.18134E-05    7.29065E-06   -7.50049E-06
A6          -1.09853E-07    2.88284E-07   -1.33209E-07    1.76083E-08
A8           2.54048E-10   -1.12191E-09    1.03660E-09   -1.08560E-10
A10         -3.12951E-13    1.45999E-12   -2.68566E-12    5.70533E-13
A12          1.63423E-16   -7.13352E-17    0.00000E+00   -1.05456E-15
[各種データ]
ズーム比              1.74
広角           中間           望遠
焦点距離             12.24          16.05          21.31
Fナンバー             4.53           4.93           5.80
全画角2ω           123.39         107.15          89.26
像高Y              21.63          21.63          21.63
レンズ全長           162.00         156.14         156.51
[可変間隔データ]
広角           中間           望遠
d0                    ∞             ∞             ∞
d10               1.0156         1.0156         1.0156
d12               25.418        11.7487         4.1308
d21               8.1179         6.8057         3.3637
d26               0.9141         6.7031        11.3242
BF               37.8228        41.1567        47.9669
広角           中間           望遠
d0              238.0004       243.8589       243.4875
d10               3.2423         3.1946         3.1975
d12              23.1913         9.5698         1.9489
d21               8.1179         6.8057         3.3637
d26               0.9141         6.7031        11.3242
BF               37.8228        41.1566        47.9670
[レンズ群データ]
群            始面         焦点距離
G1              1               -13.80
G2             11               199.67
G3             13                85.66
G4             22                31.68
G5             27             -1407.84
【０１０３】
数値実施例5
単位：mm
[面データ]
面番号            r              d             nd             vd
物面                  ∞           (d0)
1              41.7797         1.9297        1.91082          35.25
2              23.7575         5.5726
3*             47.0366         2.5391        1.69350          53.20
4              18.4242        10.2092
5*             49.5526         1.5234        1.69350          53.20
6              23.7339         8.1722
7*            -44.6733         1.4219        1.69350          53.20
8              83.0133         0.1523
9              57.1722         4.7917        2.00099          29.14
10            -590.2218          (d10)
11              77.1853         2.5539        1.43700          95.10
12            1134.3138          (d12)
13              25.6263         1.7255        1.58144          40.89
14             -81.7691         6.6108
15(絞り)                ∞         1.7855
16              49.3339         5.9319        1.43700          95.10
17             -17.0608         0.8125        2.00099          29.14
18              52.2682         1.7733
19              94.7589         4.5345        1.84666          23.78
20             -12.3220         0.8125        1.91082          35.25
21            -129.8740          (d21)
22            -329.3381         7.8025        1.43700          95.10
23             -13.7994         0.8633        1.91082          35.25
24             -18.0884         0.1523
25              46.2226         6.0707        1.43700          95.10
26             -61.2707          (d26)
27              66.1717         0.9141        1.88300          40.80
28              21.0867         9.9791        1.43700          95.10
29*            -66.9178           (BF)
像面                  ∞
[非球面データ]
3面            5面            7面           29面
K                0.0000         6.9779         0.0000         0.0000
A4           3.70925E-05   -3.80677E-05    7.91575E-06    5.22920E-06
A6          -1.14301E-07    3.73491E-07   -1.63857E-07    3.01560E-09
A8           2.54048E-10   -1.51369E-09    1.10395E-09   -1.41555E-10
A10         -3.12951E-13    2.59192E-12   -2.45287E-12    5.89155E-13
A12          1.63423E-16   -1.48081E-15    0.00000E+00   -1.04444E-15
[各種データ]
ズーム比              1.71
広角           中間           望遠
焦点距離             12.36          16.12          21.19
Fナンバー             4.61           4.96           5.76
全画角2ω           123.06         106.18          89.13
像高Y              21.63          21.63          21.63
レンズ全長           162.00         155.83         155.57
[可変間隔データ]
広角           中間           望遠
d0                   ∞             ∞             ∞
d10              1.0156         1.0156         1.0156
d12             25.4180        11.7487         4.2355
d21              8.1179         6.8057         3.3637
d26              0.9141         6.7031        11.3242
BF              37.8998        40.9176        46.9968
広角           中間           望遠
d0             238.0002       244.1748       244.4298
d10              3.3431         3.2906         3.2885
d12             23.0906         9.4738         1.9626
d21              8.1179         6.8057         3.3637
d26              0.9141         6.7031        11.3242
BF              37.8998        40.9176        46.9968
[レンズ群データ]
群            始面         焦点距離
G1              1               -14.10
G2             11               189.38
G3             13                83.51
G4             22                31.45
G5             27             -1199.40
【０１０４】
数値実施例6
単位：mm
[面データ]
面番号            r              d             nd             vd
物面                  ∞           (d0)
1              42.6615         1.9704        1.91082          35.25
2              24.2589         7.4590
3*             68.5127         2.5926        1.69350          53.20
4              21.1235         8.4025
5*             53.1361         1.5556        1.69350          53.20
6              25.1251         9.1067
7*            -49.2216         1.4519        1.69350          53.20
8              24.3952         0.5321
9              26.8772         4.8928        2.00099          29.14
10             186.9060          (d10)
11              49.2921         2.3923        1.43700          95.10
12              94.1401          (d12)
13              15.2138         2.0627        1.58144          40.89
14              66.6362         8.8601
15(絞り)                ∞         1.8232
16              20.2888         3.4522        1.43700          95.10
17             -13.0587         0.8296        2.00099          29.14
18              31.1192         1.8107
19              51.7527         9.6519        1.84666          23.78
20             -14.7218         0.8296        1.91082          35.25
21             -47.5792          (d21)
22              47.0964         5.0631        1.43700          95.10
23             -24.8236         0.8815        1.91082          35.25
24             -38.0253         0.1556
25             133.9984         3.2356        1.43700          95.10
26             -62.1807          (d26)
27             167.8456         0.9334        1.88300          40.80
28              22.2690         7.4397        1.43700          95.10
29             -34.4542         0.7187
30*            -99.4614         1.6000         1.48749          70.44
31            -120.7825           (BF)
像面                  ∞
[非球面データ]
3面            5面            7面           30面
K                     0         8.1017              0              0
A4           4.00906E-05   -3.07259E-05   -7.27774E-06   -8.83546E-06
A6          -1.08478E-07    2.72244E-07   -7.41627E-08    3.28954E-10
A8           2.19493E-10   -9.69867E-10    5.87116E-10    9.87987E-11
A10         -2.59322E-13    1.69207E-12   -1.61270E-12   -4.78902E-13
A12          1.29878E-16   -1.05232E-15    0.00000E+00    8.44904E-16
[各種データ]
ズーム比              1.66
広角           中間           望遠
焦点距離             12.48          17.15          20.74
Fナンバー             4.71           5.28           5.86
全画角2ω           122.90         101.94          90.45
像高Y              21.63          21.63          21.63
レンズ全長           162.00         161.99         162.01
[可変間隔データ]
広角           中間           望遠
d0                   ∞             ∞             ∞
d10              1.0371         1.0371         1.0371
d12             25.9545        11.9967         6.9120
d21              6.4716         7.3808         3.4347
d26              0.9334         7.4600         9.5153
BF              37.9000        44.4083        51.4052
広角           中間           望遠
d0             238.0000       238.0000       237.9922
d10              3.4990         3.4989         3.4991
d12             23.4925         9.5349         4.4500
d21              6.4716         7.3808         3.4347
d26              0.9334         7.4600         9.5153
BF              37.9000        44.4083        51.4051
[レンズ群データ]
群            始面         焦点距離
G1              1               -12.28
G2             11               232.99
G3             13                52.70
G4             22                42.04
G5             27              -500.00
【０１０５】
数値実施例7
単位：mm
[面データ]
面番号            r              d             nd             vd
物面                   ∞           (d0)
1               42.6615         1.9704        1.91082          35.25
2               24.2589         7.6175
3*              68.7727         2.5926        1.69350          53.20
4               21.1680         8.3395
5*              53.1955         1.5556        1.69350          53.20
6               26.1036         9.2168
7*             -40.1293         1.4519        1.69350          53.20
8               27.4245         0.6772
9               31.8104         4.8928        2.00099          29.14
10             -788.6319          (d10)
11               78.9259         2.1644        1.43700          95.10
12              179.1632          (d12)
13               14.5760         2.0021        1.58144          40.89
14               45.5870         9.0441
15(絞り)                ∞          1.8232
16               23.7876         3.4595        1.43700          95.10
17              -12.2968         0.8296        2.00099          29.14
18               44.3787         1.8107
19               55.0102         8.9739        1.84666          23.78
20              -14.1603         0.8296        1.91082          35.25
21              -45.6408          (d21)
22               55.3354         4.5228        1.43700          95.10
23              -22.9699         0.8815        1.91082          35.25
24              -37.2552         0.1556
25               44.7873         3.2356        1.43700          95.10
26             -169.4440          (d26)
27              163.7871         0.9334        1.88300          40.80
28               22.8228         5.0250        1.43700          95.10
29              956.6489         1.3499
30             -263.2255         3.6427        1.43700          95.10
31              -28.2616         0.7187
32*            -157.0485         0.9651        1.48749          70.44
33             -877.1794           (BF)
像面                   ∞
[非球面データ]
3面            5面            7面           32面
K                0.0000         8.1747         0.0000         0.0000
A4           4.04247E-05   -3.40986E-05   -1.52083E-06   -1.46722E-05
A6          -1.10311E-07    2.88987E-07   -8.50188E-08   -3.65818E-09
A8           2.19493E-10   -1.03406E-09    6.12518E-10    9.01030E-11
A10         -2.59322E-13    1.89859E-12   -1.60202E-12   -5.71891E-13
A12          1.29878E-16   -1.37022E-15    0.00000E+00    1.14095E-15
[各種データ]
ズーム比              1.69
広角           中間           望遠
焦点距離             12.51          16.86          21.19
Fナンバー             4.72           5.22           5.89
全画角2ω           122.78         102.76          89.26
像高Y              21.63          21.63          21.63
レンズ全長           162.00         161.99         162.01
[可変間隔データ]
広角           中間           望遠
d0                    ∞             ∞             ∞
d10               1.0371         1.0371         1.0371
d12              25.9545        11.9967         5.4904
d21               5.4935         8.1137         3.4347
d26               0.9334         7.0748         7.7080
BF               37.9000        43.0819        53.6627
広角           中間           望遠
d0              238.0000       238.0142       237.9854
d10               4.4399         4.4398         4.4401
d12              22.5516         8.5940         2.0874
d21               5.4935         8.1137         3.4347
d26               0.9334         7.0748         7.7080
BF               37.9000        43.0818        53.6627
[レンズ群データ]
群            始面         焦点距離
G1              1               -13.14
G2             11               320.71
G3             13                55.85
G4             22                42.17
G5             27              -490.53
【０１０６】
[条件式対応値]
条件式／実施例          1      2      3      4      5      6      7
(1)     5.0＜f2/fw＜40.0       10.08  16.24  16.13  16.31  15.32  18.67  25.64
(2) 0.4＜1/(MRT^2×(M2T^2-1))   0.54   1.30   1.21   1.31   1.39   1.55   2.07
(3)   0.1＜FcEntpW/f2＜0.7      0.55   0.24   0.26   0.24   0.24   0.23   0.15
(4)     2.5＜FcEntpW/fw         5.56   3.85   4.22   3.93   3.73   4.25   3.94
【符号の説明】
【０１０７】
Ｇ１    第１レンズ群
Ｇ２    第２レンズ群
Ｇ３    第３レンズ群
Ｇ４    第４レンズ群
Ｇ５    第５レンズ群
Ｓ      開口絞り
Ｉ      像面
【図１】
2015203734.tif 000004
【図２ａ】
2015203734.tif 000005
【図２ｂ】
2015203734.tif 000006
【図２ｃ】
2015203734.tif 000007
【図３ａ】
2015203734.tif 000008
【図３ｂ】
2015203734.tif 000009
【図３ｃ】
2015203734.tif 000010
【図４ａ】
2015203734.tif 000011
【図４ｂ】
2015203734.tif 000012
【図４ｃ】
2015203734.tif 000013
【図５ａ】
2015203734.tif 000014
【図５ｂ】
2015203734.tif 000015
【図５ｃ】
2015203734.tif 000016
【図６】
2015203734.tif 000017
【図７ａ】
2015203734.tif 000018
【図７ｂ】
2015203734.tif 000019
【図７ｃ】
2015203734.tif 000020
【図８ａ】
2015203734.tif 000021
【図８ｂ】
2015203734.tif 000022
【図８ｃ】
2015203734.tif 000023
【図９ａ】
2015203734.tif 000024
【図９ｂ】
2015203734.tif 000025
【図９ｃ】
2015203734.tif 000026
【図１０ａ】
2015203734.tif 000027
【図１０ｂ】
2015203734.tif 000028
【図１０ｃ】
2015203734.tif 000029
【図１１】
2015203734.tif 000030
【図１２ａ】
2015203734.tif 000031
【図１２ｂ】
2015203734.tif 000032
【図１２ｃ】
2015203734.tif 000033
【図１３ａ】
2015203734.tif 000034
【図１３ｂ】
2015203734.tif 000035
【図１３ｃ】
2015203734.tif 000036
【図１４ａ】
2015203734.tif 000037
【図１４ｂ】
2015203734.tif 000038
【図１４ｃ】
2015203734.tif 000039
【図１５ａ】
2015203734.tif 000040
【図１５ｂ】
2015203734.tif 000041
【図１５ｃ】
2015203734.tif 000042
【図１６】
2015203734.tif 000043
【図１７ａ】
2015203734.tif 000044
【図１７ｂ】
2015203734.tif 000045
【図１７ｃ】
2015203734.tif 000046
【図１８ａ】
2015203734.tif 000047
【図１８ｂ】
2015203734.tif 000048
【図１８ｃ】
2015203734.tif 000049
【図１９ａ】
2015203734.tif 000050
【図１９ｂ】
2015203734.tif 000051
【図１９ｃ】
2015203734.tif 000052
【図２０ａ】
2015203734.tif 000053
【図２０ｂ】
2015203734.tif 000054
【図２０ｃ】
2015203734.tif 000055
【図２１】
2015203734.tif 000056
【図２２ａ】
2015203734.tif 000057
【図２２ｂ】
2015203734.tif 000058
【図２２ｃ】
2015203734.tif 000059
【図２３ａ】
2015203734.tif 000060
【図２３ｂ】
2015203734.tif 000061
【図２３ｃ】
2015203734.tif 000062
【図２４ａ】
2015203734.tif 000063
【図２４ｂ】
2015203734.tif 000064
【図２４ｃ】
2015203734.tif 000065
【図２５ａ】
2015203734.tif 000066
【図２５ｂ】
2015203734.tif 000067
【図２５ｃ】
2015203734.tif 000068
【図２６】
2015203734.tif 000069
【図２７ａ】
2015203734.tif 000070
【図２７ｂ】
2015203734.tif 000071
【図２７ｃ】
2015203734.tif 000072
【図２８ａ】
2015203734.tif 000073
【図２８ｂ】
2015203734.tif 000074
【図２８ｃ】
2015203734.tif 000075
【図２９ａ】
2015203734.tif 000076
【図２９ｂ】
2015203734.tif 000077
【図２９ｃ】
2015203734.tif 000078
【図３０ａ】
2015203734.tif 000079
【図３０ｂ】
2015203734.tif 000080
【図３０ｃ】
2015203734.tif 000081
【図３１】
2015203734.tif 000082
【図３２ａ】
2015203734.tif 000083
【図３２ｂ】
2015203734.tif 000084
【図３２ｃ】
2015203734.tif 000085
【図３３ａ】
2015203734.tif 000086
【図３３ｂ】
2015203734.tif 000087
【図３３ｃ】
2015203734.tif 000088
【図３４ａ】
2015203734.tif 000089
【図３４ｂ】
2015203734.tif 000090
【図３４ｃ】
2015203734.tif 000091
【図３５ａ】
2015203734.tif 000092
【図３５ｂ】
2015203734.tif 000093
【図３５ｃ】
2015203734.tif 000094